(57)【特許請求の範囲】
【請求項１】
無線通信のための装置であって、
媒体を使用する要求を送信するように構成された送信機と；
前記要求に応答して送信される第１のフレームを受信するように構成された受信機と、なお、前記第１のフレームは媒体予約情報を具備する；
を具備し、
前記送信機は、また、前記第１のフレームと同じ媒体予約情報を具備する第２のフレームを送信するように構成され、
前記要求は、複数の送信方向に送信され、前記第１のフレームは、前記複数の送信方向に基づいて決定される好ましい送信方向のインジケー―ションをさらに具備し、前記第２のフレームは、前記好ましい送信方向に送信される、装置。
【請求項２】
前記媒体予約情報を決定するために、前記第１のフレームを復号するように構成された復号器、
をさらに具備する、請求項１に記載の装置。
【請求項３】
前記要求は、前記要求が送信される前記複数の送信方向の各送信方向の少なくとも１つのインジケーションを具備する、請求項１に記載の装置。
【請求項４】
前記第１のフレームは、複数の送信方向に送信されたものであり、
前記第２のフレームは、前記複数の送信方向に基づいて決定される好ましい送信方向のインジケーションを具備する、
請求項１に記載の装置。
【請求項５】
前記受信機は、また、複数の受信方向を使用して前記第１のフレームを受信するように構成され、
前記装置は、前記複数の受信方向に基づいて好ましい受信方向を決定するように構成された回路をさらに具備する、
請求項１に記載の装置。
【請求項６】
前記要求は、第１の持続時間のインジケーションを具備し、その間、前記媒体を使用することが要求される、および
前記媒体予約情報は、第２の持続時間のインジケーションを具備し、その間、前記媒体が許可される、
請求項１に記載の装置。
【請求項７】
前記媒体予約情報は、送信のために前記装置によって使用される前記媒体の周波数、前記装置からの送信のために許可されるデータフレームの１つまたは複数の時間セグメント、または前記媒体の予約が周期的であるかどうか、のうちの少なくとも１つを示す、
請求項１に記載の装置。
【請求項８】
無線通信のための方法であって、
媒体を使用する要求を送信することと；
前記要求に応答して送信される第１のフレームを受信することと、なお、前記第１のフレームは媒体予約情報を具備する；
前記第１のフレームと同じ媒体予約情報を具備する第２のフレームを送信することと；
を具備し、
前記要求は、複数の送信方向に送信され、前記第１のフレームは、前記複数の送信方向に基づいて決定される好ましい送信方向のインジケー―ションをさらに具備し、前記第２のフレームは、前記好ましい送信方向に送信される、方法。
【請求項９】
前記媒体予約情報を決定するために前記第１のフレームを復号すること、
をさらに具備する、請求項８に記載の方法。
【請求項１０】
前記要求は、前記要求が送信される前記複数の送信方向の各送信方向の少なくとも１つのインジケーションを具備する、請求項８に記載の方法。
【請求項１１】
前記第１のフレームは、複数の送信方向に送信されたものであり、
前記第２のフレームは、前記複数の送信方向に基づいて決定される好ましい送信方向のインジケーションを具備する、
請求項８に記載の方法。
【請求項１２】
複数の受信方向を使用して前記第１のフレームを受信することと、
前記複数の受信方向に基づいて好ましい受信方向を決定することと、
をさらに具備する、請求項８に記載の方法。
【請求項１３】
前記要求は、第１の持続時間のインジケーションを具備し、その間、前記媒体を使用することが要求される、および
前記媒体予約情報は、第２の持続時間のインジケーションを具備し、その間、前記媒体が許可される、
請求項８に記載の方法。
【請求項１４】
前記媒体予約情報は、送信のために使用される前記媒体の周波数、送信のために許可されるデータフレームの１つまたは複数の時間セグメント、または前記媒体の予約が周期的であるかどうか、のうちの少なくとも１つを示す、
請求項８に記載の方法。
【請求項１５】
無線通信のための装置であって、
媒体を使用する要求を送信するための手段と；
前記要求に応答して送信される第１のフレームを受信するための手段と、なお、前記第１のフレームは媒体予約情報を具備する；
前記第１のフレームと同じ媒体予約情報を具備する第２のフレームを送信するための手段と；
を具備し、
前記要求は、複数の送信方向に送信され、前記第１のフレームは、前記複数の送信方向に基づいて決定される好ましい送信方向のインジケー―ションをさらに具備し、前記第２のフレームは、前記好ましい送信方向に送信される、装置。
【請求項１６】
前記媒体予約情報を決定するために前記第１のフレームを復号するための手段、
をさらに具備する、請求項１５に記載の装置。
【請求項１７】
前記要求は、前記要求が送信される前記複数の送信方向の各送信方向の少なくとも１つのインジケーションを具備する、請求項１５に記載の装置。
【請求項１８】
前記第１のフレームは、複数の送信方向に送信されたものであり、
前記第２のフレームは、前記複数の送信方向に基づいて決定される好ましい送信方向のインジケーションを具備する、
請求項１５に記載の装置。
【請求項１９】
複数の受信方向を使用して前記第１のフレームを受信するための手段と、
前記複数の受信方向に基づいて好ましい受信方向を決定するための手段と、
をさらに具備する、請求項１５に記載の装置。
【請求項２０】
前記要求は、第１の持続時間のインジケーションを具備し、その間、前記媒体を使用することが要求される、および
前記媒体予約情報は、第２の持続時間のインジケーションを具備し、その間、前記媒体が許可される、
請求項１５に記載の装置。
【請求項２１】
前記媒体予約情報は、送信のために前記装置によって使用される前記媒体の周波数、前記装置からの送信のために許可されるデータフレームの１つまたは複数の時間セグメント、または前記媒体の予約が周期的であるかどうか、のうちの少なくとも１つを示す、
請求項１５に記載の装置。
【請求項２２】
無線通信のためのコンピュータプログラムであって、
媒体を使用する要求を送信し；
前記要求に応答して送信される第１のフレームを受信し、なお、前記第１のフレームは媒体予約情報を具備する；
前記第１のフレームと同じ媒体予約情報を具備する第２のフレームを送信する；
ためにコンピュータによって実行可能な命令を具備し、
前記要求は、複数の送信方向に送信され、前記第１のフレームは、前記複数の送信方向に基づいて決定される好ましい送信方向のインジケー―ションをさらに具備し、前記第２のフレームは、前記好ましい送信方向に送信される、コンピュータプログラム。
【請求項２３】
無線ノードであって、
少なくとも１つのアンテナと；
媒体を使用する要求を、前記少なくとも１つのアンテナを介して送信するように構成された送信機と；
前記要求に応答して送信される第１のフレームを、前記少なくとも１つのアンテナを介して受信するように構成された受信機と、なお、前記第１のフレームは媒体予約情報を具備する；
を具備し、
前記送信機は、また、前記第１のフレームと同じ媒体予約情報を具備する第２のフレームを、前記少なくとも１つのアンテナを介して送信するように構成され、
前記要求は、複数の送信方向に送信され、前記第１のフレームは、前記複数の送信方向に基づいて決定される好ましい送信方向のインジケー―ションをさらに具備し、前記第２のフレームは、前記好ましい送信方向に送信される、無線ノード。
【請求項２４】
無線通信のための装置であって、
第１の装置によって複数の送信方向に送信される、媒体を使用する要求を検出するように構成された検出器と、なお、前記検出器は、また、前記第１の装置によって送信される第１のフレームと、前記第１のフレームが送信された好ましい方向とを検出するように構成され、前記第１のフレームは送信された、なお、前記第１のフレームは、前記要求に応答して第２の装置によって送信される第２のフレームの受信を確認し、前記第２のフレームは、前記複数の送信方向に基づいて、前記第２の装置によって決定される前記好ましい送信方向のインジケー―ションを具備し、前記第１および第２のフレームは、前記媒体を予約するための同じ媒体予約情報を具備する；
前記媒体予約情報に基づいて、前記決定された方向に前記媒体上で送信することを控えるように構成された送信機と；
を具備する装置。
【請求項２５】
前記媒体予約情報は、持続時間のインジケーションを具備し、その間、前記媒体が、前記第１の装置に許可される、および
前記送信機は、また、前記持続時間の間、前記予約された媒体にアクセスすることを控えるように構成される、
請求項２４に記載の装置。
【請求項２６】
前記媒体予約情報中で示される前記持続時間は、前記要求中で示される他の持続時間と異なる、請求項２５に記載の装置。
【請求項２７】
前記媒体予約情報は、前記第１の装置によって使用される前記媒体の周波数についてのインジケーションを具備し、
前記送信機は、また、前記媒体予約情報の前記周波数を使用して送信することを控えるように構成される、
請求項２４に記載の装置。
【請求項２８】
前記媒体予約情報に従って、ネットワーク割当ベクトル（ＮＡＶ）カウンターの値をセットするように構成された回路をさらに具備し、
なお、前記ＮＡＶカウンターの値は、時間ユニットの数を具備し、その間、前記装置は前記媒体にアクセスすることを控える、
請求項２４に記載の装置。
【請求項２９】
第１の装置によって複数の送信方向に送信される、媒体を使用する要求を検出することと；
前記第１の装置によって送信される第１のフレームと、前記第１のフレームが送信された方向に沿って好ましい方向とを検出することと、なお、前記第１のフレームは、前記要求に応答して第２の装置によって送信される第２のフレームの受信を確認し、前記第２のフレームは、前記複数の送信方向に基づいて、前記第２の装置によって決定される前記好ましい送信方向のインジケー―ションを具備し、前記第１および第２のフレームは、前記媒体を予約するための同じ媒体予約情報を具備する；
前記媒体予約情報に基づいて、前記決定された方向に前記媒体上で送信することを控えることと；
を具備する無線通信のための方法。
【請求項３０】
前記媒体予約情報は、持続時間のインジケーションを具備し、その間、前記媒体が前記第１の装置に許可される、および
前記方法は、前記持続時間の間、前記予約された媒体にアクセスすることを控えることをさらに具備する、請求項２９に記載の方法。
【請求項３１】
前記媒体予約情報中で示される前記持続時間は、前記要求中で示される他の持続時間と異なる、請求項３０に記載の方法。
【請求項３２】
前記媒体予約情報は、前記第１の装置によって使用される前記媒体の周波数についてのインジケーションを具備し、
前記方法は、前記媒体予約情報の前記周波数を使用して送信することを控えることをさらに具備する、
請求項２９に記載の方法。
【請求項３３】
装置において、前記媒体予約情報に従ってネットワーク割当ベクトル（ＮＡＶ）カウンターの値をセットすることをさらに具備し、
なお、前記ＮＡＶカウンターの値は、時間ユニットの数を具備し、その間、前記装置は前記媒体にアクセスすることを控える、
請求項２９に記載の方法。
【請求項３４】
無線通信のための装置であって、
第１の装置によって複数の送信方向に送信される、媒体を使用する要求を検出するための手段と；
前記要求に応答して第２の装置によって送信される第２のフレームの受信を確認する、前記第１の装置によって送信される第１のフレームを検出するための手段と、なお、前記第２のフレームは、前記複数の送信方向に基づいて、前記第２の装置によって決定される前記好ましい送信方向のインジケー―ションを具備し、前記第１および第２のフレームは、前記媒体を予約するための同じ媒体予約情報を具備する；
前記媒体予約情報と、前記検出された好ましい方向とに基づいて、前記決定された方向に前記媒体上で送信することを控えるための手段と;
を具備する装置。
【請求項３５】
前記媒体予約情報は、持続時間のインジケーションを具備し、その間、前記媒体が前記第１の装置に許可される、および
前記控えるための手段は、前記持続時間の間、前記予約された媒体にアクセスすることを控えるようにさらに構成される、
請求項３４に記載の装置。
【請求項３６】
前記媒体予約情報中で示される前記持続時間は、前記要求中で示される他の持続時間と異なる、請求項３５に記載の装置。
【請求項３７】
前記媒体予約情報は、前記第１の装置によって使用される前記媒体の周波数についてのインジケーションを具備し、
前記控えるための手段は、前記媒体予約情報の前記周波数を使用して送信することを控えるようにさらに構成される、
請求項３４に記載の装置。
【請求項３８】
前記媒体予約情報に従ってネットワーク割当ベクトル（ＮＡＶ）カウンターの値をセットするための手段をさらに具備し、
なお、前記ＮＡＶカウンターの値は、時間ユニットの数を具備し、その間、前記装置は前記媒体にアクセスすることを控える、
請求項３４に記載の装置。
【請求項３９】
第１の装置によって複数の送信方向に送信される、媒体を使用する要求を検出し；
前記第１の装置によって送信される第１のフレームと、前記第１のフレームが送信された方向に沿って好ましい方向とを検出し、なお、前記第１のフレームは、前記要求に応答して第２の装置によって送信される第２のフレームの受信を確認し、前記第２のフレームは、前記複数の送信方向に基づいて、前記第２の装置によって決定される前記好ましい送信方向のインジケー―ションを具備し、前記第１および第２のフレームは、前記媒体を予約するための同じ媒体予約情報を具備する；
前記媒体予約情報に基づいて、前記決定された方向に前記媒体上で送信することを控える；
ためにコンピュータによって実行可能な命令を具備する、無線通信のためのコンピュータプログラム。
【請求項４０】
少なくとも１つのアンテナと；
第１の無線ノードによって複数の送信方向に送信される、前記少なくとも１つのアンテナを介して受信される媒体を使用する要求を検出するように構成された検出器と、なお、前記検出器は、また、前記第１の無線ノードによって送信される、前記少なくとも１つのアンテナを介して受信される第１のフレームを検出し、前記第１のフレームが送信された方向に沿って好ましい方向を検出するように構成され、なお、前記第１のフレームは、前記要求に応答して第２の無線ノードによって送信される第２のフレームの受信を確認し、前記第２のフレームは、前記複数の送信方向に基づいて、前記第２の無線ノードによって決定される前記好ましい送信方向のインジケー―ションを具備し、前記第１および第２のフレームは、前記媒体を予約するための同じ媒体予約情報を具備する；
前記媒体予約情報に基づいて、前記決定された方向に前記媒体上で送信することを控えるように構成された送信機と；
を具備する無線ノード。
【発明の詳細な説明】
【技術分野】
【０００１】
［３５Ｕ．Ｓ．Ｃ．§１１９に基づく優先権の主張］
本願は、本譲受人にその権利が譲渡され、ここに参照によって明確に組み込まれている米国特許仮出願第６１／２６３２４８号（２００９年１１月２０日に出願された「仮想キャリアセンシングの問題を解決するためのＣＴＳフレームの受信を確認する方法」"Method of confirming the receipt of CTS frame to solve the problem of virtual carrier sensing"）の優先権を主張するものである。
【０００２】
［分野］
本開示のある態様は、一般的には無線通信に関し、特に、仮想キャリアセンシング(virtual carrier sensing)の場合に、送信可（ＣＴＳ： Clear-to-send）メッセージの受信を確認するための方法および装置に関する。
【背景技術】
【０００３】
［背景］
送信要求（ＲＴＳ：Request-to-send）および送信可（ＣＴＳ）は、電気電子学会（ＩＥＥＥ）８０２．１１無線通信規格によって定義されたチャネル予約プロトコルを表し、ＩＥＥＥ８０２．１１分散型媒体アクセス制御（ＭＡＣ）プロトコルによって利用されるものである。ＲＴＳ−ＣＴＳプロトコルは、仮想キャリアセンシングを実現することができ、これは、１つまたは複数の隠れ（hidden）無線ノードが無線ネットワークに存在している場合、チャネル予約のために特に重要になりうる。
【０００４】
隠れノードの問題は、無線ネットワークの第１の局（ＳＴＡ）（例えば、ＳＴＡ Ａ）が、第２の局（例えば、ＳＴＡ Ｂ）にデータを送信するようにスケジュールされているときに生じうる。しかしながら、第３の局（例えば、ＳＴＡ Ｃ）が、ＳＴＡ Ｂの近隣ではあるが、ＳＴＡ Ａの範囲外に存在しうる。ＳＴＡ Ｃの送信は、ＳＴＡ Ｂにおいて干渉を引き起こしうるが、ＳＴＡ Ａにおいては干渉を引き起こさないことがありうる。ＳＴＡ ＡがＳＴＡ Ｂにおける干渉を単独で知ることができないことは、２つの側面を有する。１つの側面では、ＳＴＡ Ａは、ＳＴＡ Ｃが送信しているか否かを知らないことがありうる。ＳＴＡ Ｃが送信している場合、そのとき、ＳＴＡ ＡからＳＴＡ Ｂへの任意の送信は、復号されないことがありうる。別の側面では、ＳＴＡ ＣがＳＴＡ Ａの範囲外にあり、要求を復号できないことがありうるので、ＳＴＡ Ａは、要求メッセージ（例えば、ＲＴＳメッセージ）をブロードキャストすることによって送信のために媒体(medium)を予約することができないことがありうる。
【発明の概要】
【０００５】
ある態様は、無線通信のための方法を提供する。この方法は、一般に、媒体を使用する要求を送信することと、要求に応答して送信される第１のフレームを受信することと、なお、第１のフレームは媒体予約情報(medium reservation information)を具備し、第１のフレームと同じ媒体予約情報を具備する第２のフレームを送信することと、を含む。
【０００６】
ある態様は、無線通信のための装置を提供する。この装置は、一般に、媒体を使用する要求を送信するように構成された送信機と、要求に応答して送信される第１のフレームを受信するように構成された受信機とを含み、なお、第１のフレームは媒体予約情報を具備し、送信機は、また、第１のフレームと同じ媒体予約情報を具備する第２のフレームを送信するように構成される。
【０００７】
ある態様は、無線通信のための装置を提供する。この装置は、一般に、媒体を使用する要求を送信するための手段と、要求に応答して送信される第１のフレームを受信するための手段とを含み、なお、第１のフレームは媒体予約情報を具備し、送信するための手段は、第１のフレームと同じ媒体予約情報を具備する第２のフレームを送信するようにさらに構成される。
【０００８】
ある態様は、無線通信のためのコンピュータプログラム製品を提供する。このコンピュータプログラム製品は、媒体を使用する要求を送信し、要求に応答して送信される第１のフレームを受信し、なお、第１のフレームは媒体予約情報を具備し、第１のフレームと同じ媒体予約情報を具備する第２のフレームを送信する、ために実行可能な命令を具備するコンピュータ可読媒体を含む。
【０００９】
ある態様は、無線ノードを提供する。この無線ノードは、一般に、少なくとも１つのアンテナと、媒体を使用する要求を、少なくとも１つのアンテナを介して送信するように構成された送信機と、要求に応答して送信される第１のフレームを、少なくとも１つのアンテナを介して受信するように構成された受信機とを含み、なお、第１のフレームは、媒体予約情報を具備し、送信機は、また、第１のフレームと同じ媒体予約情報を具備する第２のフレームを、少なくとも１つのアンテナを介して送信するように構成される。
【００１０】
ある態様は、無線通信のための方法を提供する。この方法は、一般に、装置によって送信される媒体を使用する要求を検出することと、要求に応答して別の装置によって送信される第２のフレームの受信を確認する装置によって送信される第１のフレームを検出することと、なお、第１および第２のフレームは、媒体を予約するための同じ媒体予約情報を具備し、この媒体予約情報に基づいて、媒体にアクセスすることを抑制する(refrain)ことと、を含む。
【００１１】
ある態様は、無線通信のための装置を提供する。この装置は、一般に、第１の装置によって送信される媒体を使用する要求を検出するように構成された検出器と、なお、検出器は、また、要求に応答して第２の装置によって送信される第２のフレームの受信を確認する第１の装置によって送信される第１のフレームを検出するように構成され、第１および第２のフレームは、媒体を予約するための同じ媒体予約情報を具備し、この媒体予約情報に基づいて、媒体にアクセスすることを抑制するように構成された送信機と、を含む。
【００１２】
ある態様は、無線通信のための装置を提供する。この装置は、一般に、第１の装置によって送信される媒体を使用する要求を検出するための手段と、要求に応答して第２の装置によって送信される第２のフレームの受信を確認する第１の装置によって送信される第１のフレームを検出するための手段と、なお、第１および第２のフレームは、媒体を予約するための同じ媒体予約情報を具備し、この媒体予約情報に基づいて、媒体にアクセスすることを抑制するための手段と、を含む。
【００１３】
ある態様は、無線通信のためのコンピュータプログラム製品を提供する。このコンピュータプログラム製品は、装置によって送信される媒体を使用する要求を検出し、要求に応答して別の装置によって送信される第２のフレームの受信を確認する装置によって送信される第１のフレームを検出し、なお、第１および第２のフレームは、媒体を予約するための同じ媒体予約情報を具備し、この媒体予約情報に基づいて、媒体にアクセスすることを抑制する、ために実行可能な命令を具備するコンピュータ可読媒体を含む。
【００１４】
ある態様は、無線ノードを提供する。この無線ノードは、一般に、少なくとも１つのアンテナと、第１の無線ノードによって送信される、少なくとも１つのアンテナを介して受信される媒体を使用する要求を検出するように構成された検出器と、なお、検出器は、また、要求に応答して第２の無線ノードによって送信される第２のフレームの受信を確認する第１の無線ノードによって送信される、少なくとも１つのアンテナを介して受信される第１のフレームを検出するように構成され、第１および第２のフレ―ムは、媒体を予約するための同じ媒体予約情報を具備し、この媒体予約情報に基づいて、媒体にアクセスすることを抑制するように構成された送信機と、を含む。
【００１５】
本開示の上述した特徴がより詳細に理解されうるように、上記に簡潔に要約された本開示のより具体的な説明が、態様への参照によってなされ、そのいくつかは、添付図面に例示されている。しかしながら、添付図面は、この開示のある特定の典型的な態様のみを例示し、したがって、その範囲を限定するものとして考慮されないことに留意されたい、という理由は、この記述は、他の等しく有効な態様に対しても当てはまる（admit to）からである。
【図面の簡単な説明】
【００１６】
【図１】図１は、本開示のある態様による、実例的な無線通信システムを例示する図である。
【図２】図２は、本開示のある態様による、２つのノードに通信することを可能にするシステムを例示する図である。
【図３】図３は、本開示のある態様による、通信デバイスの例を例示する図である。
【図４】図４は、本開示のある態様による、無線ネットワークにおける隠れ無線ノードの存在の例を例示する図である。
【図５】図５は、本開示のある態様による、送信のために媒体を要求しているユーザ局（ＳＴＡ）において実行されうる実例的なオペレーションを例示する図である。
【図５Ａ】図５Ａは、図５に例示されたオペレーションを実行することが可能な実例的な構成要素を例示する図である。
【図６】図６は、本開示のある態様による、媒体の（複数の）要求に傾聴（listening）しているＳＴＡにおいて実行されうる実例的なオペレーションを例示する図である。
【図６Ａ】図６Ａは、図６に例示されたオペレーションを実行することが可能な実例的な構成要素を例示する図である。
【図７】図７は、本開示のある態様による、媒体を予約するために使用される実例的な制御フレーム構造を例示する図である。
【図８】図８は、本開示のある態様による、媒体を予約するために使用される実例的なプロトコルを例示する図である。
【発明を実施するための形態】
【００１７】
本開示の様々な態様が、添付図面を参照して以下により詳細に説明される。しかしながら、本開示は、多くの異なる形態で具体化されることができ、本開示の全体にわたって示されるいずれの特定の構造または機能に限定されると解釈されるべきではない。むしろ、これらの態様は、本開示が十分で完全であり、本開示の範囲を当業者に十分に伝えるように提供される。ここでの教示に基づき、当業者は、本開示の範囲が、本開示のその他任意の態様と組み合わされて実施されようが、あるいは独自に実施されようが、ここに開示される本開示の任意の態様をカバーするように意図されていることを理解すべきである。例えば、ここに記載される任意の数の態様を使用して、装置が実施されることができ、または方法が実現されることができる。加えて、本開示の範囲は、ここに記載される本開示の様々な態様に加えて、あるいはそれ以外の、他の構造、機能、または構造と機能を使用して実現されるこのような装置または方法をカバーするように意図される。ここに開示される本開示の任意の態様が、請求項の１つまたは複数の要素によって具体化されうることが理解されるべきである。
【００１８】
「典型的（"exemplary"）」という言葉は、ここで、「例、実例、および例証を提供する」という意味で用いられる。ここで「典型的」であると説明される任意の態様は、他の態様に対して、必ずしも好ましいまたは有利であるようには解釈されない。
【００１９】
ここでは、特定の態様が説明されているが、これらの態様の多くの変形および置換（permutations）は、本開示の範囲内にある。好ましい態様のいくつかの利益および利点が述べられているが、本開示の範囲は、特定の利益、使用、または目的に限定されるようには意図されない。むしろ、本開示の態様は、種々の無線技術、システム構成、ネットワーク、および伝送プロトコルに対して、幅広く適用可能であるように意図され、そのうちのいくつかは、好ましい態様についての次の説明および図面において、例として例示される。詳細な説明および図面は、限定的であるよりも、単に本開示を例示しているにすぎず、本開示の範囲は、添付の特許請求の範囲およびその均等物によって定義される。
【００２０】
［実例的な無線通信システム］
ここに説明される技術は、直交多重化スキームに基づく通信システムを含む、様々な広帯域無線通信システムに使用されうる。このような通信システムの例は、直交周波数分割多元接続（ＯＦＤＭＡ）システム、単一キャリア周波数分割多元接続（ＳＣ−ＦＤＭＡ）システム等を含む。ＯＦＤＭＡシステムは、直交周波数分割多重化（ＯＦＤＭ）を利用し、これは、システム帯域幅全体を、複数の直交サブキャリアに分割する変調技術である。これらのサブキャリアは、また、トーン、ビン等と称されうる。ＯＦＤＭでは、各サブキャリアは、データを用いて個別に変調されうる。ＳＣ−ＦＤＭＡシステムは、システム帯域幅にわたって分散されたサブキャリア上で送信するためのインタリーブＦＤＭＡ（ＩＦＤＭＡ）、隣接サブキャリアのブロック上で送信するためのローカライズドＦＤＭＡ（ＬＦＤＭＡ）、あるいは、隣接するサブキャリアの複数のブロック上で送信するためのエンハンスト（enhanced）ＦＤＭＡ（ＥＦＤＭＡ）を利用しうる。一般に、変調シンボルは、ＯＦＤＭでは周波数領域で送られ、ＳＣ−ＦＤＭＡでは時間領域で送られる。
【００２１】
ここでの教示は、様々な有線または無線の装置（例えば、ノード）に組み込まれる（例えば、内部で実施されるか、あるいはそれらによって実行される）ことができる。いくつかの態様では、ここでの教示にしたがって実施される無線ノードは、アクセスポイントまたはアクセス端末を具備しうる。
【００２２】
アクセスポイント（「ＡＰ」）は、ノードＢ、無線ネットワーク制御装置（「ＲＮＣ」）、ｅＮｏｄｅＢ、基地局制御装置（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、あるいは何か他の用語として、知られているか、実施されるか、あるいはこれらを具備しうる。
【００２３】
アクセス端末（「ＡＴ」）は、アクセス端末、加入者局、加入者ユニット、モバイル端末、遠隔局、遠隔端末、ユーザ端末、ユーザエージェント、ユーザデバイス、ユーザ機器、ユーザ局、あるいは何か他の用語として、知られているか、実施されるか、あるいはこれらを具備しうる。いくつかの実施では、アクセス端末は、携帯電話、コードレス電話、セッション開始プロトコル（「ＳＩＰ」）電話、無線ローカルループ（「ＷＬＬ」）局、携帯情報端末（「ＰＤＡ」）、無線接続機能を有するハンドヘルドデバイス、局（「ＳＴＡ」）、あるいは無線モデムに接続された何か他の適切な処理デバイスを具備しうる。したがって、ここに教示される１つまたは複数の態様は、電話（例えば、携帯電話またはスマートフォン）、コンピュータ（例えば、ラップトップ）、携帯用通信デバイス、携帯用コンピューティングデバイス（例えば、携帯情報端末）、娯楽デバイス（例えば、音楽またはビデオのデバイス、あるいは衛星ラジオ）、全地球測位システムデバイス、あるいは無線または有線の媒体を介して通信するように構成されたその他任意の適切なデバイスに組み込まれうる。いくつかの態様では、ノードは、無線ノードである。このような無線ノードは、例えば、有線または無線の通信リンクを介して、ネットワーク（例えば、セルラネットワークまたはインターネットなどの広域ネットワーク）のために、あるいはネットワークへの、接続性を提供しうる。無線ノードは、アクセスポイントまたはアクセス端末を具備しうる。
【００２４】
ここで図１を参照すると、本開示の様々な態様による、無線通信システム１００が例示されている。システム１００は、複数のアンテナグループを含みうる基地局（即ち、アクセスポイント）１０２を具備する。例えば、１つのアンテナグループが、アンテナ１０４と１０６を含むことができ、別のグループが、アンテナ１０８と１１０を含むことができ、また追加のグループが、アンテナ１１２と１１４を含むことができる。各アンテナグループについて、２本のアンテナが例示されているが、より多くのアンテナ、またはより少ないアンテナも、各グループのために利用されうる。基地局１０２は、送信機チェーンおよび受信機チェーンをさらに含むことができ、その各々が、信号の送信および受信に関連付けられる複数の構成要素（例えば、プロセッサ、変調器、マルチプレクサ、復調器、デマルチプレクサ、アンテナ等）を順に（in turn）具備しうることは、当業者によって理解されるであろう。加えて、基地局１０２は、ホーム基地局、フェムト基地局(Femto base station)、および／または同等のものでありうる。
【００２５】
基地局１０２は、デバイス１１６のような１つまたは複数のデバイスと通信しうる。しかしながら、基地局１０２は、デバイス１１６に類似した実質的に任意の数のデバイスと通信しうることが理解されるべきである。図示されるように、デバイス１１６は、アンテナ１０４および１０６と通信状態にあり、ここで、アンテナ１０４および１０６は、順方向リンク１１８上でデバイス１１６に情報を送信し、逆方向リンク１２０上でデバイス１１６から情報を受信する。周波数分割複信（ＦＤＤ）システムでは、例えば、順方向リンク１１８は、逆方向リンク１２０によって使用されるものとは異なる周波数帯域を利用しうる。さらに、時分割複信（ＴＤＤ）システムでは、順方向リンク１１８および逆方向リンク１２０は、共通の周波数帯域を利用しうる。
【００２６】
加えて、デバイス１２２および１２４は、ピアツーピア構成などで、互いに通信し合うことができる。さらに、デバイス１２２は、リンク１２６および１２８を使用して、デバイス１２４と通信状態にある。ピアツーピア・アドホック・ネットワーク(peer-to-peer ad hoc network)では、デバイス１２２および１２４のように、互いの範囲内にあるデバイスは、それらの通信を中継するための基地局１０２および／または有線インフラストラクチャ無しで互いに直接通信しうる。加えて、ピアデバイスまたはノードが、トラフィックを中継しうる。ピアツーピア方式で通信しているネットワーク内のデバイスは、基地局と同様に機能することができ、トラフィックが最終目的地に達するまで、基地局と同様に機能して、他のデバイスへトラフィックまたは通信を中継する。デバイスは、また、ピアノード間のデータ送信を管理するために利用されうる情報を伝送する制御チャネルを送信しうる。
【００２７】
通信ネットワークは、無線（または有線）通信状態にある任意の数のデバイスまたはノードを含みうる。各ノードは、１つまたは複数の他のノードの範囲内に存在することができ、他のノードと通信することができ、あるいは、マルチホップ・トポグラフィ（multi-hop topography;例えば、通信が、最終目的地に達するまで、ノードからノードへとホップしうる）でのように、他のノードの利用を通じて通信できる。例えば、送信側ノードは、受信側ノードと通信することを希望しうる。送信側ノードと受信側ノードとの間のパケット転送を可能にするために、１つまたは複数の中間ノードが利用されうる。任意のノードが、送信側ノードおよび／または受信側ノードになることができ、また、実質的に同時に（例えば、情報を受信するのとほぼ同時に情報をブロードキャストまたは通信する）、あるいは異なる時間に、情報の送信および／または受信のうちの何れかの機能を実行できることが理解されるべきである。
【００２８】
システム１００は、ネットワーク上で通信セッションを開始したノードに、セッションを直接接続に移行することを可能にするように構成されうる。直接に接続されたノードは、元来（natively）、何れのカプセル化も伴うことなくパケットを交換しうる。いくつかの態様によれば、「ホームレス（homeless）」ノードは、それ自体の進行中のセッションを失うことなく、無線ネットワークに切り換わりうる。「ホームレス」によって意味されるのは、外部ネットワークに切り換わる間に進行中のセッションを維持するための支援を提供するためにも、ノードの現在の位置に新たなセッションを確立するための任意の新たに到来する（複数の）要求を転送するためにも、ホーム・エージェント・エンティティを持たないノードである。いくつかの態様によると、ノードは、移動式（例えば、無線）、固定式（例えば、有線）、あるいはこれらの組み合わせ（例えば、１つのノードが固定式でもう１つが移動式、両ノードとも移動式等）でありうる。
【００２９】
図２は、様々な態様による、２つのノードに広域ネットワークインタフェースおよび／またはデバイス・トゥ・デバイス（Device to Device）・インタフェースを介して通信することを可能にするシステム２００を例示する。システム２００には、第１のノード（ノード１）２０２と第２のノード（ノード２）２０４とが含まれる。ノード２０２および２０４の各々は、少なくとも２つのインタフェースを含む。第１のインタフェースは、インターネットプロトコル（ＩＰ）アドレスを提供するネットワーク２０６に接続されうる。例えば、このネットワークは、広域ネットワーク（ＷＡＮ）、ローカルエリアネットワーク（ＬＡＮ）、ホームネットワーク、デジタル加入者回線（ＤＳＬ）、ケーブル、３ＧＰＰ（第３世代パートナシップ計画）ベース、３ＧＰＰ２（第３世代パートナシップ計画２）ベース、あるいは、対象のネットワークへのルーティングおよび相互接続を提供するその他任意の技術（例えば、インターネット）でありうる。
【００３０】
ノード２０２および２０４のインタフェースは、有線（例えば、デバイス・トゥ・デバイス）、無線（例えば、ＷＡＮ）、あるいはこれらの組み合わせでありうる。例えば、ノード１インタフェースが無線でありノード２インタフェースが有線であることができ、または、ノード２インタフェースが無線でありノード１インタフェースが有線であることができ、あるいは、両方のインタフェースが有線であることができる。
【００３１】
例示目的のために、各ノード２０２、２０４の第１のインタフェースは、ＷＡＮインタフェース２０８および２１０である。ＷＡＮインタフェース２０８、２１０は、リンク２１２および２１４によって例示されるように、ネットワーク２０６を介して接続を提供する。さらに、各ノード２０２、２０４は、直接に接続されたピアを有するローカルネットワークあるいはマルチホップ・メッシュ・ネットワークに接続されている少なくとも第２のインタフェースを含む。例えば、ローカルネットワークは、無線ローカルエリアネットワーク（ＷＬＡＮ）または別のデバイス・トゥ・デバイス（例えば、ピアツーピア）技術でありうる。例示目的のために、各ノード２０２、２０４の第２のインタフェースは、デバイス・トゥ・デバイス（Ｄ２Ｄ）インタフェース２１６、２１８として例示されている。Ｄ２Ｄインタフェース２１６、２１８は、ノード２０２、２０４に、直接リンク２２０によって例示される直接通信を実行することを可能にする。
【００３２】
ここで、ネットワーク２０６上でセッションを開始し、（例えば、直接リンク２２０による）直接セッションへ移行するための様々な態様にしたがう手順が説明される。例示目的のために、ノード１２０２は、モバイルインターネットプロトコル（ＩＰ）を利用すると仮定されている。通信は、そのモバイルＩＰホームアドレスをソースアドレスとして利用するノード１２０２によって実行される。ホームアドレスは、ノードに割り当てられたユニキャスト・ルータブル・アドレス（unicast routable address）であり、ノードのパーマネントアドレスとして使用される。ノード１２０２は、それぞれの第１のインタフェース（例えば、ＷＡＮインタフェース２０８、２１０）を介してパケットを送信および受信することによって、ネットワーク２０６（例えば、ＷＡＮ）を介してノード２２０４と通信する。これらパケットは、様々な態様により、ネットワーク２０６に含まれうる、ホームエージェントへのＭＩＰｖ６トンネル内に、あるいは、直接ノード２２０４へのルート最適化トンネル内にカプセル化されうる。
【００３３】
図３は、典型的な態様による、典型的な第１の通信デバイス３００を例示する。典型的な第１の通信デバイス３００は、例えば、図１の無線通信デバイス（１０２、１１６、１２２、１２４）のうちの１つであり、あるいは、図２の無線通信デバイス（２０２、２０４）のうちの１つである。
【００３４】
第１の通信デバイス３００は、様々な構成要素（３０２、３０４）がその上でデータおよび情報を交換しうるバス３０９を介して共に結合されたプロセッサ３０２およびメモリ３０４を含む。通信デバイス３００は、示されるように、プロセッサ３０２と結合されうる入力モジュール３０６と出力モジュール３０８とをさらに含む。しかしながら、いくつかの態様では、入力モジュール３０６および出力モジュール３０８は、プロセッサ３０２の内部に設置されうる。入力モジュール３０６は、入力信号を受信しうる。入力モジュール３０６は、入力を受信するための有線または光学式の入力インタフェースおよび／または無線受信機を含むことができ、また、いくつかの態様では、これらを含んでいる。出力モジュール３０８は、出力を送信するための有線または光学式の出力インタフェースおよび／または無線送信機を含むことができ、また、いくつかの態様では、これらを含んでいる。
【００３５】
プロセッサ３０２は、第２の通信デバイスから第１の信号を受信し、この第１の信号が、アプリケーションアラート基準(application alert criteria)満たす場合には、第１のアプリケーションアラートを生成し、アクセスポイントから第２の信号を受信するように構成され、この第２の信号は、第２の通信デバイスからの前の信号に基づく第２の通信デバイス情報を搬送する。アクセスポイントは、基地局であることができ、また、時には、基地局である。いくつかの態様では、第２の通信デバイス情報は、位置情報である。様々な態様では、プロセッサ３０２は、第１の信号を受信するように構成されていることの一部として、無線ピアツーピアインタフェースを介してこの第１の信号を受信するように構成される。いくつかの態様では、プロセッサ３０２は、第２の信号を受信するように構成されていることの一部として、無線広域ネットワークインタフェースを介して第２の信号を受信するように構成される。
【００３６】
プロセッサ３０２は、第２の信号に含まれる第２の通信デバイス情報と、第１の信号に含まれる情報とに基づいて、取るべきオペレーションを決定するようにさらに構成される。１つの典型的な態様では、第２の信号に含まれる第２の通信デバイス情報は、第２の通信デバイスの前の位置についての情報であり、第１の信号に含まれる情報は、現在の位置情報であり、また、オペレーションは、位置ベースのトラフィック更新オペレーションおよび位置ベースのアドバタイズメント（advertisement）更新オペレーショのうちの１つである。いくつかの態様では、プロセッサ３０２は、生成された第１のアプリケーションアラートに応答して、第２の通信デバイスに対応する情報を要求してアクセスポイントに情報要求信号を送るようにさらに構成される。
【００３７】
［媒体予約および仮想キャリアセンシング］
図１からの無線システム１００の各モバイルデバイス（即ち、ユーザ局（ＳＴＡ））、図２からのシステム２００のネットワーク２０６における各々のノード（ＳＴＡｓ）２０２、２０４、および図３からの通信デバイス（ＳＴＡ）３００は、その関連したネットワーク割当ベクトル（ＮＡＶ：Network Allocation Vector）カウンターを維持しうる。ＮＡＶカウンターは、時間ユニットにおけるカウンターを表し、これらの時間ユニットの間、ＳＴＡは、たとえ、物理キャリアセンシングが、媒体が通信のために利用可能であることを示していたとしても、ピア・エンティティ(peer entity)と媒体上で接続を開始できない。ＮＡＶカウンターは、時間ユニット毎に減少させられることができ、また、ＳＴＡは、ＮＡＶカウンターが経過するまで、媒体が予約されていると仮定することができる。
【００３８】
図４は、本開示のある態様による、隠れ無線ノード（例えば、ユーザＳＴＡ）が存在する状態での、一対のＳＴＡｓ間の通信の例４００を例示する。ＳＴＡ ４０２は、ＳＴＡ ４０２のＮＡＶが空いていて（empty）、媒体が空いていることを物理キャリアセンシングが示しているときに、別のＳＴＡ ４０４と送信を開始しうる。ＳＴＡ ４０２は、持続時間を具備しうる送信要求（ＲＴＳ）フレームを送ることによって送信を開始することができ、この持続時間の間、ＳＴＡ ４０２は、媒体を予約することを望む。ＲＴＳ要求フレームを受信することに応答して、ＳＴＡ ４０４は、そのＮＡＶが空いていて、物理キャリアセンシングが、媒体が空いていることを示している場合に、送信可（ＣＴＳ）応答フレームを送ることができる。ＣＴＳフレームもまた、持続時間を具備し、この持続時間の間、要求された媒体が予約される。
【００３９】
ＲＳＴ要求フレームまたはＣＴＳ制御フレームのいずれかを受信する、ＳＴＡｓ ４０２、４０４以外の任意のＳＴＡは、これらの２つの制御フレーム中の持続時間フィールドに従って、そのＮＡＶカウンターをセットしうる。これは、仮想キャリアセンシングを表わし、また、これが、ＳＴＡｓ ４０２、４０４が、媒体予約を達成しうる方法である。図４に例示されるように、ＳＴＡ ４０６は、ＳＴＡ ４０２の範囲４０８の外部に存在しうるので、ＳＴＡ ４０６は、ＳＴＡ ４０２から送られるＲＴＳメッセージを受信できないことがありうる。しかしながら、ＳＴＡ ４０６は、ＳＴＡ ４０４から送られるＣＴＳフレームを受信し、それに応じて、そのＮＡＶカウンターをセットすることが可能でありうる。
【００４０】
ＳＴＡ ４０２が、ＲＴＳフレームを送信するとき、ＳＴＡ ４０２は、要求される媒体が、ＳＴＡ４０４において実際に利用可能であるかどうか、認識していないことがありうる。そのＮＡＶカウンターでは、ＳＴＡ ４０２は、媒体がＳＴＡ ４０２において利用可能であるということのみ認識しうる。媒体がＳＴＡ ４０４において利用可能でない、即ち、ＳＴＡ ４０４のＮＡＶカウンターがゼロでない、あるいは、物理キャリアセンシングが送信を示す場合には、ＳＴＡ ４０４は、受信されたＲＴＳフレームに応答してＣＴＳフレームを送信しないことがありうる。これは、例えば、ＳＴＡ ４０２が、ＳＴＡ ４０６がＳＴＡ ４０４にデータを送信しているのと同時にＲＴＳフレームを送信する場合に起こりうる。
【００４１】
上記のシナリオでは、ＳＴＡ ４０２から送信されるＲＴＳフレームを受信する任意のＳＴＡが、ＲＴＳフレーム内で指定されている持続値にそのＮＡＶカウンターをセットしうる。ＳＴＡ ４０４は、ＳＴＡ ４０２のＲＴＳ要求を受け入れない（not honor）ことがありうるので、そのときは、ＲＴＳ要求を受信しているＳＴＡｓは、送信していないことがありうる。したがって、媒体は、未使用のままであることがあり、このことは、リソース浪費の問題を引き起こしうる。
【００４２】
一態様では、リソース浪費の問題は、ＲＴＳ要求フレームを受信するＳＴＡｓがある持続時間の間待機可能とし、その後ＣＴＳ応答フレームが送信されることになることによって、回避されうる。その後、ＳＴＡｓは、ＳＴＡ ４０２から送信されているパケットを復号しようと試みうる。ＳＴＡｓがこのパケットを復号することができた場合には、ＳＴＡｓは、ＳＴＡ ４０２から送信されたＲＴＳ要求フレームがそのピアエンティティ（ＳＴＡ ４０４）によって受け入れられたと仮定することができ、また、ＳＴＡｓは、それらのＮＡＶカウンターを維持（keep）することができる。他方では、定義された時間期間内にＳＴＡｓにおいていずれのパケット送信も検出されなかった場合には、ＳＴＡｓは、それらのＮＡＶカウンターをリセットしうる。
【００４３】
しかしながら、ある種類の媒体アクセス制御（ＭＡＣ）プロトコルのみがサポーされうるので、先に論じた解決策は制限される。例えば、この解決策を、指向性ＭＡＣ（directional）に拡張することは可能ではないことがありうる。ＲＴＳおよびＣＴＳのフレームは、一般に、低レート（low rate）の制御フレームを表しうる。ＳＴＡ ４０２によって送信されるパケットを復号化することは、パケットヘッダが、ＲＴＳフレームのレートと比較して、同じまたはより低いレートであることを必要とすることがあり、それによって、特定の物理レイヤ（ＰＨＹ）に対する、このような解決策の使用を制限している。
【００４４】
先に論じた解決策は、ＲＴＳ、ＣＴＳおよびパケットの送信が、時間において連続して（back to back）実行される（即ち、フレームの自然な連続（natural succession of frames）が存在する）、従来のＩＥＥＥ８０２．１１ ＭＡＣに特有でありうる。しかしながら、パケット送信が、より遠い将来において行われる場合には、パケットを符号することは、より長い持続時間の間待機することを必要としうる。加えて、ＣＴＳフレームは、媒体の要求を変更することを許可されることができ、例えば、ＳＴＡ ４０４は、ＳＴＡ ４０２によって要求されるものよりも短い持続時間を割り当てることができる。この場合、パケットヘッダの復号化は、媒体が予約されていることを決定するために、十分でないことがありうる。
【００４５】
ＭＡＣプロトコルは、ＲＴＳおよびＣＴＳのフレームが、無指向性（omni-directionally）に送られるのではなく、ビームフォーミングアンテナを使用して特定の方向にのみ送られる場合に、指向性であると考えられうる。これは、６０ＧＨｚネットワークのような、高周波数通信ネットワークの場合に起こることができ、ここで、ビームフォーミング利得は、任意の種類のパケット符号化にとって不可欠でありうる。このような場合、ＲＴＳおよびＣＴＳのフレームが特定の方向に送信されることができるのみならず、ＮＡＶカウンターも指向性であることができ、即ち、ある特定の方向においてＲＴＳフレームを聞く（hear）ことができるＳＴＡｓは、ＲＴＳフレームが受信された方向においてのみ送信を抑制することができる。
【００４６】
したがって、ある時間期間中、ＳＴＡは、異なるＳＴＡｓから１つ以上の方向において受信されるＲＴＳフレームを観察しうる。ＳＴＡが（例えば、そのビームを回転させることによって）異なる方向における異なるＲＴＳフレームを復号することが可能でありうる一方で、パケット送信の時間の間、このＳＴＡは、パケットを復号するために１つの方向に連続して傾聴する必要がありうる。この場合、異なる方向における異なるＲＴＳフレームを受信しているＳＴＡにとって、これらの方向に沿って送信されるパケットを復号することは、可能でないことがありうる。
【００４７】
［追加の制御フレームに基づいた、隠れノードのケースにおける仮想キャリアセンシングの解決策］
本開示のある態様は、図４に例示されているＳＴＡ ４０６のような隠れ無線ノードの場合における先に論じた仮想キャリアセンシングの問題を解決するために、別の制御フレーム（即ち、ＣＴＳ確認フレーム）の使用をサポートする。ＣＴＳ確認フレームは、（例えば、図４からのＳＴＡ ４０２による）ＣＴＳフレームの成功した復号化の後で、ＲＴＳフレームを送信したのと同じＳＴＡによって送信されうる。
【００４８】
ＣＴＳ確認フレームは、ＣＴＳ制御フレーム中で示されるものと同じ媒体予約情報を具備しうる。一般に、ＣＴＳ制御フレームは、媒体を予約するための持続時間情報のほかに追加の情報を具備しうる。例えば、ＣＴＳ制御フレームおよびＣＴＳ確認フレームの両方が、また、どの周波数が送信の間に利用されうるか、データフレームのどの時間セグメント（time segment)が通信のために許可されうるか、を示す情報、または、媒体予約が周期的であるか、あるいは１つの時間予約を表すのか、を示す情報、のうちの少なくとも１つを具備しうる。
【００４９】
本開示の態様では、ＣＴＳ確認フレームを復号するＳＴＡ ４０４以外の任意のＳＴＡは、ＣＴＳ確認フレーム中の情報に従って、および、基礎をなすＭＡＣプロトコルに従って、そのＮＡＶカウンターをセットしうる。その他のすべてのものは、ＭＡＣによって前に要求されたのと同じ状態のままでありうる。しかしながら、ＣＴＳ確認フレーム中に含まれる情報は、ＲＴＳフレームからの情報の代わりに利用されうる。
【００５０】
ＣＴＳ確認フレームの目的が、ＳＴＡ ４０２によるＣＴＳフレームの受信を肯定応答（acknowledge）することではない場合があることに留意されたい。ＣＴＳ確認フレームの復号化は、ＳＴＡ ４０４によって必要とされないことがあり、また、肯定応答としてＣＴＳ確認フレームを使用することは、この制御メカニズムの追加の利益を表わす。
【００５１】
図５は、本開示のある態様による、送信のために媒体を要求しているユーザＳＴＡにおいて実行されうる実例的なオペレーション５００を例示する。５０２では、ユーザＳＴＡは、媒体を使用する要求（即ち、ＲＴＳフレーム）を送信しうる。５０４では、ＳＴＡは、要求に応答して送信される第１のフレーム（即ち、ＣＴＳフレーム）を受信することができ、なお、第１のフレームは、媒体予約情報を具備しうる。５０６では、第１のフレームに応答して、ＳＴＡは、第１のフレームと同じ媒体予約情報を具備する第２のフレーム（即ち、ＣＴＳ確認フレーム）を送信しうる。
【００５２】
一態様では、要求は、第１の持続時間のインジケーション(indication)を具備することができ、この第１の持続時間の間、媒体を使用することが要求され、なお、第１および第２のフレームの媒体予約情報は、第２の持続時間のインジケーションを具備することができ、この第２の持続時間の間、媒体は許可される。許可された第２の持続時間は、要求された第１の持続時間とは異なることがありうる。一態様では、媒体予約情報は、送信のためにＳＴＡによって使用される媒体の周波数、ＳＴＡからの送信のために許可されるデータフレームの１つまたは複数の時間セグメント、または、媒体の予約が周期的であるかどうか、のうちの少なくとも１つを示しうる。
【００５３】
図６は、本開示のある態様による、別のＳＴＡによって送信される媒体の要求に傾聴しているユーザＳＴＡにおいて実行されうる実例的なオペレーション６００を例示する。６０２では、ＳＴＡは、媒体を使用する要求（即ち、ＲＴＳフレーム）を検出しうる。６０４では、ＳＴＡは、要求に応答して第３のＳＴＡによって送信される第２のフレーム（即ち、ＣＴＳフレーム）の受信を確認する他のＳＴＡによって送信される第１のフレーム（即ち、ＣＴＳ確認フレーム）を検出することができ、なお、第１および第２のフレームは、媒体を予約するための同じ媒体予約情報を具備することができる。６０６では、ＳＴＡは、媒体予約情報に基づいて、媒体にアクセスすることを控えうる。一態様では、ネットワーク割当ベクトル（ＮＡＶ）カウンターの値が、媒体予約情報に従ってＳＴＡにおいてセットされうる、なお、ＮＡＶカウンターの値は、時間ユニットの数(a number of time  units)を具備することができ、これらの時間ユニットの間、ＳＴＡは媒体にアクセスすることを抑制する。
【００５４】
第１のフレームを検出することによって、ＳＴＡは、方向を決定することができ、この方向に沿って、第１のフレームは他のＳＴＡから送信された。その後、ＳＴＡは、決定された方向に媒体上で送信することを控えうる。上述されたように、媒体予約情報は、他のＳＴＡによって使用される媒体の周波数についてのインジケーションをさらに具備しうる。ＳＴＡは、媒体のこれらの特定の周波数を使用して送信することを控えうる一方で、何か他の周波数を使用して、媒体にアクセスしうる。
【００５５】
指向性ＭＡＣプロトコルの場合には、ＣＴＳ確認フレームが送信される方向が重要になりうる。ＣＴＳ確認フレームが、データ送信のためのチャネル予約に利用されていて、ＲＴＳおよびＣＴＳのフレームが両方とも特定の方向に沿って送信される場合には、ＣＴＳ確認フレームもまた、その同じ方向に送信されうる。ＲＴＳおよびＣＴＳのフレームが、ビームトレーニング（beam training）に関してチャネルを予約するために灯台方法（lighthouse fashion）で送信されている（即ち、対応するＳＴＡｓのすべてのサポートされた方向に沿って送信される）場合には、ＣＴＳ確認フレームもまた、ＲＴＳフレームの送信に使用されたのと同じ方向に沿って灯台方法で送信されうる。
【００５６】
一態様では、提案された「ＲＴＳ−ＣＴＳ−ＣＴＳ確認（RTS-CTS-CTS confirmation）」プロトコルは、任意の余分な媒体（チャネル）予約を必要とすることなく、ビームトレーニング目的のために利用されうる。図４に戻って参照すると、ＲＴＳフレームは、灯台方法で、各サポートされた送信方向に沿ってＳＴＡ ４０２によって送信されうる。ＲＴＳフレームの送信ビームインデックスは、ＲＴＳフレーム中に明示的に（explicitly）含まれうるか、あるいは、それは、基準時間と比較したＲＴＳフレームの相対的なタイミングから推定されうる。ＲＴＳフレームは、灯台方法で受信ビームを回転させることによって、ＳＴＡ ４０４によって復号されうる。ＲＴＳフレームの復号することによって、ＳＴＡ ４０４は、ＳＴＡ ４０４の好ましい受信ビーム方向と、ＳＴＡ ４０２の好ましい送信ビーム方向とを決定しうる。
【００５７】
その後、ＳＴＡ ４０４は、ＳＴＡ ４０４のすべてのサポートされた送信方向に沿って、灯台方法でＣＴＳ応答フレームを送信しうる。ＣＴＳフレームは、ＳＴＡ ４０２の予め（previously）決定された好ましい送信ビームを示すフィールドを具備しうる。ＳＴＡ ４０２は、全ての可能な受信ビーム方向に沿って、灯台方法で受信ビームを回転させることによよって、ＣＴＳフレームを復号するよう試みうる。ＣＴＳフレームを復号した後、ＳＴＡ ４０２は、ＳＴＡ ４０２の好ましい受信ビーム方向（例えば、最高の信号対雑音比でＣＴＳフレームが復号されうる方向）と同様に、ＳＴＡ ４０４の好ましい送信ビーム方向を決定しうる。
【００５８】
本開示の一態様では、ＣＴＳ確認フレームは、全ての利用可能な送信ビーム方向を使用して、灯台方法でＳＴＡ ４０２によって送信されうる。別の態様では、リソースを節約（save）するために、ＣＴＳ確認フレームは、ＳＴＡ ４０２の好ましい送信ビーム方向を使用して、１度だけ送信されうる。ＳＴＡ ４０４は、ＣＴＳ確認フレームを、その好ましい受信ビーム方向を使用して復号することができ、それは、ＲＴＳフレームを符号することによって予め決定されることができる。したがって、ビームトレーニング目的のために「ＲＴＳ−ＣＴＳ−ＣＴＳ確認」プロトコルが使用される指向性ＭＡＣ設計については、ＲＴＳおよびＣＴＳのフレームとは違って、ＣＴＳ確認フレームは、灯台方法で送信される必要がないことがありうる。従って、ＣＴＳ確認フレームを送信する際にかかるコストは低くなりうる。
【００５９】
図７は、本開示のある態様による、１つのビーコン間隔に関するスーパーフレーム構造７００の実例的な送信を例示する。スーパーフレーム７００は、ビーコン７０２と制御フレーム７０４を具備しうる。制御フレーム７０４は、仮想キャリアセンシングおよび媒体予約のために提案された「ＲＴＳ−ＣＴＳ−ＣＴＳ確認」プロトコルを表わす、ＲＴＳサブフレーム７０６と、ＣＴＳサブフレーム７０８と、ＣＴＳ確認サブフレーム７１０とを具備しうる。図７に例示されているように、ＲＴＳサブフレーム７０６とＣＴＳサブフレーム７０８との両方が、ビームトレーニング目的のために灯台方法で送信および復号されうる。他方では、ＣＴＳ確認サブフレーム７１０は、１つの送信方向のみに沿って（例えば、好ましい送信方向に沿って）送信されることができ、また、１つの受信方向のみに沿って（例えば、好ましい受信方向に沿って）復号されることができる。
【００６０】
図８は、本開示のある態様による、媒体（チャネル）予約のための階層的な「ＲＴＳ−ＣＴＳ−ＣＴＳ確認」プロトコル８００の例を例示する。スーパーフレーム８０２中では、ＳＴＡは、媒体を要求するためのＲＴＳフレーム８０４を送信しうる。ＲＴＳフレーム８０４は、スーパーフレーム８０２のフラグが、ビームトレーニングが必要であることを示している（即ち、図８に例示されているように、「Ｂｅａｍ＿Ｔｒａｉｎ＿Ｒｅｑｕｉｒｅｄ」フラグが「１」に等しい）場合、ＳＴＡのマルチプルの送信方向に送信されうる。ＣＴＳフレーム８０６がＳＴＡにおいて受信されない場合、ＣＴＳ確認フレーム８０８は、ＳＴＡから送信されないことがありうる。ＳＴＡは、図８に例示されるように、ランダムなバックオフ（backoff）が活動化されるまで、ＲＴＳフレーム８１０を送信することによって媒体を要求し続けることができる。
【００６１】
ランダムなバックオフが終了した後、ＳＴＡは、スーパーフレーム８１２のビームトレーニングフラグによって指定されるように、ＳＴＡのマルチプルの送信方向を使用してスーパーフレーム８１２内でＲＴＳフレーム８１４を送信しうる。その後、ＳＴＡは、ＳＴＡのマルチプルの受信方向を使用して、ＲＴＳフレーム８１４の受信に応答して別のＳＴＡによって送信されるＣＴＳフレーム８１６を受信しうる。いったんＣＴＳフレーム８１６が受信されると、ＣＴＳ確認フレーム８１８は、受信されたＣＴＳフレーム８１６と同じ媒体予約情報を具備して送信されうる。図８に例示されるように、媒体を予約することとともに、ＳＴＡは、ＲＴＳ、ＣＴＳおよびＣＴＳ確認フレーム８１４−８１８に基づいてビームトレーニングを実行しうる。マルチ方向のＲＴＳフレーム、ＣＴＳフレームおよびＣＴＳ確認フレームに基づいてビームトレーニングすることおよび媒体を予約することの同じ手順が、また、スーパーフレーム８２０のためにも実行されうる。
【００６２】
下記のスーパーフレーム８２２では、ＳＴＡは、スーパーフレーム８２２のビームトレーニングフラグによって指定されるように、１つの送信方向のみを使用してＲＴＳフレーム８２４を送信しうる。その後、ＳＴＡは、１つの受信方向のみを使用して、ＲＴＳフレーム８２４の受信に応答して別のＳＴＡによって送信されるＣＴＳフレーム８２６を受信しうる。いったんＣＴＳフレーム８２６がＳＴＡにおいて受信されると、ＣＴＳ確認フレーム８２８は、受信されたＣＴＳフレーム８２６と同じ媒体予約情報を具備して送信されうる。一態様では、ＣＴＳ確認フレーム８２８は、ＲＴＳフレーム８２４の送信のために利用されたＳＴＡの同じ単一の送信方向において送信されうる。媒体が予約された後、スーパーフレーム８２２のデータ８３０は、例えば、ＲＴＳフレーム８２４およびＣＴＳ確認フレーム８２８を送信するためのものと同じ方向を使用して、ＳＴＡによって指向的に（directionally）送信されうる。図８に例示されるように、媒体予約のための同じ手順は、また、スーパーフレーム８３２のために適用されうる。
【００６３】
上述した方法の様々なオペレーションは、対応する機能を実行することが可能な任意の適切な手段によって実行されうる。これら手段は、限定される訳ではないが、回路、特定用途向け集積回路（ＡＳＩＣ）、またはプロセッサを含む様々なハードウェアおよび／またはソフトウェアの（複数の）構成要素および／または（複数の）モジュールを含みうる。一般に、図面において例示されているオペレーションがあるところでは、これらのオペレーションは、同様の番号付けを持つ対応する対のミーンズ・プラス・ファンクション（means-plus-function）の構成要素を有しうる。例えば、図５および図６に例示されたオペレーション５００および６００は、図５Ａおよび図６Ａに例示された構成要素５００Ａおよび６００Ａに対応する。
【００６４】
ここで使用される場合、「決定する（determining）」という用語は、幅広い様々な動作を包含する。例えば、「決定する」は、演算すること、計算すること、処理すること、導出すること、調査すること、検索すること（例えば、テーブル、データベース、または別のデータ構造において検索すること）、確かめること、およびそれに類することを含みうる。また、「決定する」は、受信すること（例えば、情報を受信すること）、アクセスすること（例えば、メモリ中のデータにアクセスすること）、およびそれに類することを含みうる。また、「決定する」は、解決すること（resolving）、選択すること（selecting）、選ぶこと（choosing）、確定すること（establishing）、およびそれに類することを含みうる。
【００６５】
ここで使用される場合、アイテムのリストのうちの「少なくとも１つ」を称する句は、単一の構成要素を含む、これらアイテムのうちの任意の組み合わせを称する。例として、「ａ、ｂ、またはｃのうちの少なくとも１つ」は、ａ、ｂ、ｃ、ａとｂ、ａとｃ、ｂとｃ、および、ａとｂとｃ、をカバーするように意図される。
【００６６】
上に説明された方法の様々なオペレーションは、様々なハードウェアおよび／またはソフトウェアの（複数の）構成要素、回路、および／または（複数の）モジュールなどの、これらのオペレーションを実行することが可能な任意の適切な手段によって実行されうる。一般に、図面において例示された任意のオペレーションは、これらのオペレーションを実行することが可能な対応する機能的手段によって実行されうる。
【００６７】
例えば、送信するための手段は、送信機（例えば、図３からの通信デバイス３００の出力モジュール３０８）を具備しうる。受信するための手段は、受信機（例えば、通信デバイス３００の入力モジュール３０６）を具備しうる。復号するための手段は、復号器（例えば、通信デバイス３００のプロセッサ３０２）を具備しうる。決定するための手段は、特定用途向け集積回路（例えば、通信デバイス３００のプロセッサ３０２）を具備しうる。検出するための手段は、検出器（例えば、通信デバイス３００のプロセッサ３０２）を具備しうる。抑制するための手段は、送信機（例えば、通信デバイス３００の出力モジュール３０８）を具備しうる。セットするための手段は、特定用途向け集積回路（例えば、通信デバイス３００のプロセッサ３０２）を具備しうる。
【００６８】
本開示に関連して説明された様々な例示的な、論理ブロック、モジュールおよび回路は、汎用プロセッサ、デジタル信号プロセッサ（ＤＳＰ）、特定用途向け集積回路（ＡＳＩＣ）、フィールド・プグラマブル・ゲート・アレイ信号（ＦＰＧＡ）あるいは他のプログラマブル論理デバイス（ＰＬＤ）、ディスクリートゲートあるいはトランジスタロジック、ディスクリートハードウェア部品、またはここに説明された機能を実行するように設計されたこれらの任意の組み合わせによって実施または実行されうる。汎用プロセッサは、マイクロプロセッサとすることができるが、代替案では、このプロセッサを、任意の商用のプロセッサ、コントローラ、マイクロコントローラ、またはステートマシン（state machine）とすることができる。プロセッサは、また、例えば、ＤＳＰとマイクロプロセッサの組み合わせ、複数のマイクロプロセッサ、ＤＳＰのコアと連携した１つまたは複数のマイクロプロセッサ、あるいはその他任意の同様な構成のようなコンピューティングデバイスの組み合わせとして実現されうる。
【００６９】
本開示に関連して説明されたアルゴリズムまたは方法のステップは、直接ハードウェアで、プロセッサによって実行されるソフトウェアモジュールで、あるいは２つの組み合わせで、具体化（embodied）されうる。ソフトウェアモジュールは、当該技術分野において周知である任意の形状の記憶媒体に常駐（reside）しうる。使用されうる記憶媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令または多数の命令を具備することができ、いくつかの異なるコードセグメント上で、異なるプログラムの間で、および複数の記憶媒体にわたって、分散されうる。記憶媒体は、プロセッサが記憶媒体から情報を読み、またそれに情報を書くことができるように、プロセッサに結合されうる。代わりにおいて、記憶媒体はプロセッサに統合されうる。
【００７０】
ここに開示された方法は、説明された方法を達成するための１つまたは複数のステップまたは動作を具備する。方法のステップおよび／または動作は、請求項の範囲から逸脱することなく互いに置き換えられうる。言い換えると、ステップまたは動作の特定の順序が指定されていない限り、特定のステップおよび／または動作の順序および／または使用は、請求項の範囲から逸脱することなく修正されうる。
【００７１】
説明された機能は、ハードウェア、ソフトウェア、ファームウェア、またはこれらの任意の組み合わせにおいて実現されうる。ソフトウェアで実現される場合、これらの機能は、コンピュータ可読媒体上で、１つまたは複数の命令またはコードとして送信または記憶されうる。コンピュータ可読媒体は、１つの場所から別の場所へのコンピュータプログラムの転送を容易にする任意の媒体を含む通信媒体と、コンピュータ記憶媒体との両方を含む。記憶媒体は、コンピュータによってアクセスされうる任意の利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置デバイス、あるいは、データ構造または命令の形式で所望のプログラムコードを格納または搬送するために使用でき、且つ、コンピュータによってアクセスされることができるその他任意の媒体を具備することができる。また、任意の接続は、コンピュータ可読媒体と厳密には称されうる。例えば、ソフトウェアが、同軸ケーブル、光ファイバーケーブル、ツイストペア、デジタル加入者回線（ＤＳＬ）、または赤外線（ＩＲ）、電波、およびマイクロ波のような無線技術を使用して、ウェブサイト、サーバまたは他の遠隔ソースから送信される場合には、この同軸ケーブル、光ファイバーケーブル、ツイストペア、ＤＳＬ、または赤外線、電波、およびマイクロ波のような無線技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。したがって、いくつかの態様では、コンピュータ可読媒体は、非一時的コンピュータ可読媒体（例えば、有形媒体（tangible media）)を具備しうる。加えて、他の態様に関しては、コンピュータ可読媒体は、一時的コンピュータ可読媒体（例えば、信号）を具備しうる。上記の組み合わせもまた、コンピュータ可読媒体の範囲内に含まれるべきである。
【００７２】
したがって、ある態様は、ここに示されたオペレーションを実行するためのコンピュータプログラム製品を具備しうる。例えば、このようなコンピュータプログラム製品は、その上に記憶された（および／または符号された）命令を有するコンピュータ可読媒体を具備することができ、これらの命令は、ここに説明されたオペレーションを実行するために、１つまたは複数のプロセッサによって実行可能である。ある態様では、コンピュータプログラム製品は、パッケージングマテリアル（packaging material）を含みうる。
【００７３】
ソフトウェアあるいは命令は、また、送信媒体上で送信されうる。例えば、ソフトウェアが、同軸ケーブル、光ファイバーケーブル、ツイストペア、デジタル加入者回線（ＤＳＬ）、あるいは赤外線、電波、およびマイクロ波などの無線技術を用いてウェブサイト、サーバ、または他の遠隔ソースから送信される場合には、同軸ケーブル、光ファイバーケーブル、ツイストペア、ＤＳＬ、あるいは赤外線、電波、およびマイクロ波などの無線技術は、送信媒体の定義に含まれる。
【００７４】
さらに、ここに説明された方法および技術を実行するためのモジュールおよび／または他の適切な手段は、場合に応じて、ダウンロードおよび／または別の方法で、ユーザ端末および／または基地局によって得られうる。例えば、このようなデバイスは、ここに説明された方法を実行するための手段の転送を容易にするために、サーバに結合されうる。あるいは、ここに説明された様々な方法は、デバイスに記憶手段を提供または結合する際に、ユーザ端末および／または基地局が、様々な方法を得ることができるように、記憶手段（例えば、ＲＡＭ、ＲＯＭ、コンパクトディスク（ＣＤ）またはフロッピーディスクのような物理記憶媒体など）によって提供されうる。さらに、ここに説明された方法および技術をデバイスに提供するためのその他任意の適切な技術が利用されうる。
【００７５】
特許請求の範囲は、上記に例示された明確な構成および構成要素に限定されないことを理解されたい。様々な修正、変更、および変形が、上に説明された方法および装置の配置、オペレーションおよび詳細において、特許請求の範囲から逸脱することなく実施されうる。
【００７６】
前述したものが、本開示の態様に向けられている一方で、本開示のその他および更なる態様が、これらの基本的な範囲から逸脱することなく考案されることができ、この範囲は、以下に示す特許請求の範囲によって決定される。
以下に、本願出願の当初の特許請求の範囲に記載された発明を付記する。
［Ｃ１］  無線通信のための装置であって、
媒体を使用する要求を送信するように構成された送信機と；
前記要求に応答して送信される第１のフレームを受信するように構成された受信機と、なお、前記第１のフレームは媒体予約情報を具備する；
を具備し、
前記送信機は、また、前記第１のフレームと同じ媒体予約情報を具備する第２のフレームを送信するように構成される、装置。
［Ｃ２］  前記媒体予約情報を決定するために、前記第１のフレームを復号するように構成された復号器、
をさらに具備する、Ｃ１に記載の装置。
［Ｃ３］  前記要求および前記第２のフレームは、同じ送信方向に送信される、Ｃ１に記載の装置。
［Ｃ４］  前記要求および前記第２のフレームは、同じ複数の送信方向に送信される、Ｃ１に記載の装置。
［Ｃ５］  前記要求は、複数の送信方向に送信され、
前記第１のフレームは、前記複数の送信方向に基づいて決定される好ましい送信方向のインジケーションをさらに具備する、
Ｃ１に記載の装置。
［Ｃ６］  前記第２のフレームは、前記好ましい送信方向に送信される、Ｃ５に記載の装置。
［Ｃ７］  前記要求は、前記要求が送信される前記複数の送信方向の各送信方向の少なくとも１つのインジケーションを具備する、Ｃ５に記載の装置。
［Ｃ８］  前記第１のフレームは、複数の送信方向に送信されたものであり、
前記第２のフレームは、前記複数の送信方向に基づいて決定される好ましい送信方向のインジケーションを具備する、
Ｃ１に記載の装置。
［Ｃ９］  前記受信機は、また、複数の受信方向を使用して前記第１のフレームを受信するように構成され、
前記装置は、前記複数の受信方向に基づいて好ましい受信方向を決定するように構成された回路をさらに具備する、
Ｃ１に記載の装置。
［Ｃ１０］  前記要求は、第１の持続時間のインジケーションを具備し、その間、前記媒体を使用することが要求される、および
前記媒体予約情報は、第２の持続時間のインジケーションを具備し、その間、前記媒体が許可される、
Ｃ１に記載の装置。
［Ｃ１１］  前記媒体予約情報は、送信のために前記装置によって使用される前記媒体の周波数、前記装置からの送信のために許可されるデータフレームの１つまたは複数の時間セグメント、または前記媒体の予約が周期的であるかどうか、のうちの少なくとも１つを示す、
Ｃ１に記載の装置。
［Ｃ１２］  無線通信のための方法であって、
媒体を使用する要求を送信することと；
前記要求に応答して送信される第１のフレームを受信することと、なお、前記第１のフレームは媒体予約情報を具備する；
前記第１のフレームと同じ媒体予約情報を具備する第２のフレームを送信することと；
を具備する方法。
［Ｃ１３］  前記媒体予約情報を決定するために前記第１のフレームを復号すること、
をさらに具備する、Ｃ１２に記載の方法。
［Ｃ１４］  前記要求および前記第２のフレームは、同じ送信方向に送信される、Ｃ１２に記載の方法。
［Ｃ１５］  前記要求および前記第２のフレームは、同じ複数の送信方向に送信される、Ｃ１２に記載の方法。
［Ｃ１６］  前記要求は、複数の送信方向に送信され、
前記第１のフレームは、前記複数の送信方向に基づいて決定される好ましい送信方向のインジケーションをさらに具備する、
Ｃ１２に記載の方法。
［Ｃ１７］  前記第２のフレームは、前記好ましい送信方向に送信される、Ｃ１６に記載の方法。
［Ｃ１８］  前記要求は、前記要求が送信される前記複数の送信方向の各送信方向の少なくとも１つのインジケーションを具備する、Ｃ１６に記載の方法。
［Ｃ１９］  前記第１のフレームは、複数の送信方向に送信されたものであり、
前記第２のフレームは、前記複数の送信方向に基づいて決定される好ましい送信方向のインジケーションを具備する、
Ｃ１２に記載の方法。
［Ｃ２０］  複数の受信方向を使用して前記第１のフレームを受信することと、
前記複数の受信方向に基づいて好ましい受信方向を決定することと、
をさらに具備する、Ｃ１２に記載の方法。
［Ｃ２１］  前記要求は、第１の持続時間のインジケーションを具備し、その間、前記媒体を使用することが要求される、および
前記媒体予約情報は、第２の持続時間のインジケーションを具備し、その間、前記媒体が許可される、
Ｃ１２に記載の方法。
［Ｃ２２］  前記媒体予約情報は、送信のために使用される前記媒体の周波数、送信のために許可されるデータフレームの１つまたは複数の時間セグメント、または前記媒体の予約が周期的であるかどうか、のうちの少なくとも１つを示す、
Ｃ１２に記載の方法。
［Ｃ２３］  無線通信のための装置であって、
媒体を使用する要求を送信するための手段と；
前記要求に応答して送信される第１のフレームを受信するための手段と、なお、前記第１のフレームは媒体予約情報を具備する；
前記第１のフレームと同じ媒体予約情報を具備する第２のフレームを送信するための手段と；
を具備する装置。
［Ｃ２４］  前記媒体予約情報を決定するために前記第１のフレームを復号するための手段、
をさらに具備する、Ｃ２３に記載の装置。
［Ｃ２５］  前記要求および前記第２のフレームは、同じ送信方向に送信される、Ｃ２３に記載の装置。
［Ｃ２６］前記要求および前記第２のフレームは、同じ複数の送信方向に送信される、Ｃ２３に記載の装置。
［Ｃ２７］  前記要求は、複数の送信方向に送信され、
前記第１のフレームは、前記複数の送信方向に基づいて決定される好ましい送信方向のインジケーションをさらに具備する、
Ｃ２３に記載の装置。
［Ｃ２８］  前記第２のフレームは、前記好ましい送信方向に送信される、Ｃ２７に記載の装置。
［Ｃ２９］  前記要求は、前記要求が送信される前記複数の送信方向の各送信方向の少なくとも１つのインジケーションを具備する、Ｃ２７に記載の装置。
［Ｃ３０］  前記第１のフレームは、複数の送信方向に送信されたものであり、
前記第２のフレームは、前記複数の送信方向に基づいて決定される好ましい送信方向のインジケーションを具備する、
Ｃ２３に記載の装置。
［Ｃ３１］  複数の受信方向を使用して前記第１のフレームを受信するための手段と、
前記複数の受信方向に基づいて好ましい受信方向を決定するための手段と、
をさらに具備する、Ｃ２３に記載の装置。
［Ｃ３２］  前記要求は、第１の持続時間のインジケーションを具備し、その間、前記媒体を使用することが要求される、および
前記媒体予約情報は、第２の持続時間のインジケーションを具備し、その間、前記媒体が許可される、
Ｃ２３に記載の装置。
［Ｃ３３］  前記媒体予約情報は、送信のために前記装置によって使用される前記媒体の周波数、前記装置からの送信のために許可されるデータフレームの１つまたは複数の時間セグメント、または前記媒体の予約が周期的であるかどうか、のうちの少なくとも１つを示す、
Ｃ２３に記載の装置。
［Ｃ３４］  無線通信のためのコンピュータプログラム製品であって、
媒体を使用する要求を送信し；
前記要求に応答して送信される第１のフレームを受信し、なお、前記第１のフレームは媒体予約情報を具備する；
前記第１のフレームと同じ媒体予約情報を具備する第２のフレームを送信する；
ために実行可能な命令を備えたコンピュータ可読媒体を具備する、コンピュータプログラム製品。
［Ｃ３５］  無線ノードであって、
少なくとも１つのアンテナと；
媒体を使用する要求を、前記少なくとも１つのアンテナを介して送信するように構成された送信機と；
前記要求に応答して送信される第１のフレームを、前記少なくとも１つのアンテナを介して受信するように構成された受信機と、なお、前記第１のフレームは媒体予約情報を具備する；
を具備し、
前記送信機は、また、前記第１のフレームと同じ媒体予約情報を具備する第２のフレームを、前記少なくとも１つのアンテナを介して送信するように構成される、無線ノード。
［Ｃ３６］  無線通信のための装置であって、
第１の装置によって送信される、媒体を使用する要求を検出するように構成された検出器と、なお、前記検出器は、また、前記要求に応答して第２の装置によって送信される第２のフレームの受信を確認する、前記第１の装置によって送信される第１のフレームを検出するように構成され、前記第１および第２のフレームは、前記媒体を予約するための同じ媒体予約情報を具備する；
前記媒体予約情報に基づいて、前記媒体にアクセスすることを控えるように構成された送信機と；
を具備する装置。
［Ｃ３７］  前記媒体予約情報は、持続時間のインジケーションを具備し、その間、前記媒体が、前記第１の装置に許可される、および
前記送信機は、また、前記持続時間の間、前記予約された媒体にアクセスすることを控えるように構成される、
Ｃ３６に記載の装置。
［Ｃ３８］  前記媒体予約情報中で示される前記持続時間は、前記要求中で示される他の持続時間と異なる、Ｃ３７に記載の装置。
［Ｃ３９］  前記検出器は、前記第１のフレームが送信された方向に沿って、方向を決定するようにさらに構成される、Ｃ３６に記載の装置。
［Ｃ４０］  前記送信機は、また、前記決定された方向に、前記媒体上で送信することを控えるように構成される、Ｃ３９に記載の装置。
［Ｃ４１］  前記媒体予約情報は、前記第１の装置によって使用される前記媒体の周波数についてのインジケーションを具備し、
前記送信機は、また、前記媒体予約情報の前記周波数を使用して送信することを控えるように構成される、
Ｃ３６に記載の装置。
［Ｃ４２］  前記媒体予約情報に従って、ネットワーク割当ベクトル（ＮＡＶ）カウンターの値をセットするように構成された回路をさらに具備し、
なお、前記ＮＡＶカウンターの値は、時間ユニットの数を具備し、その間、前記装置は前記媒体にアクセスすることを控える、
Ｃ３６に記載の装置。
［Ｃ４３］  第１の装置によって送信される、媒体を使用する要求を検出することと；
前記要求に応答して第２の装置によって送信される第２のフレームの受信を確認する、前記第１の装置によって送信される第１のフレームを検出することと、なお、前記第１および第２のフレームは、前記媒体を予約するための同じ媒体予約情報を具備する；
前記媒体予約情報に基づいて、前記媒体にアクセスすることを控えることと；
を具備する無線通信のための方法。
［Ｃ４４］  前記媒体予約情報は、持続時間のインジケーションを具備し、その間、前記媒体が前記第１の装置に許可される、および
前記方法は、前記持続時間の間、前記予約された媒体にアクセスすることを控えることをさらに具備する、Ｃ４３に記載の方法。
［Ｃ４５］  前記媒体予約情報中で示される前記持続時間は、前記要求中で示される他の持続時間と異なる、Ｃ４４に記載の方法。
［Ｃ４６］  前記第１のフレームが送信された方向に沿って、方向を決定することをさらに具備する、Ｃ４３に記載の方法。
［Ｃ４７］  前記決定された方向に、前記媒体上で送信することを控えることをさらに具備する、Ｃ４６に記載の方法。
［Ｃ４８］  前記媒体予約情報は、前記第１の装置によって使用される前記媒体の周波数についてのインジケーションを具備し、
前記方法は、前記媒体予約情報の前記周波数を使用して送信することを控えることをさらに具備する、
Ｃ４３に記載の方法。
［Ｃ４９］  装置において、前記媒体予約情報に従ってネットワーク割当ベクトル（ＮＡＶ）カウンターの値をセットすることをさらに具備し、
なお、前記ＮＡＶカウンターの値は、時間ユニットの数を具備し、その間、前記装置は前記媒体にアクセスすることを控える、
Ｃ４３に記載の方法。
［Ｃ５０］  無線通信のための装置であって、
第１の装置によって送信される、媒体を使用する要求を検出するための手段と；
前記要求に応答して第２の装置によって送信される第２のフレームの受信を確認する、前記第１の装置によって送信される第１のフレームを検出するための手段と、なお、前記第１および第２のフレームは、前記媒体を予約するための同じ媒体予約情報を具備する；
前記媒体予約情報に基づいて、前記媒体にアクセスすることを控えるための手段と;
を具備する装置。
［Ｃ５１］  前記媒体予約情報は、持続時間のインジケーションを具備し、その間、、前記媒体が前記第１の装置に許可される、および
前記控えるための手段は、前記持続時間の間、前記予約された媒体にアクセスすることを控えるようにさらに構成される、
Ｃ５０に記載の装置。
［Ｃ５２］  前記媒体予約情報中で示される前記持続時間は、前記要求中で示される他の持続時間と異なる、Ｃ５１に記載の装置。
［Ｃ５３］  前記第１のフレームが送信された方向に沿って方向を決定するための手段をさらに具備する、Ｃ５０に記載の装置。
［Ｃ５４］  前記控えるための手段は、前記決定された方向に、前記媒体上で送信することを控えるようにさらに構成される、Ｃ５３に記載の装置。
［Ｃ５５］  前記媒体予約情報は、前記第１の装置によって使用される前記媒体の周波数についてのインジケーションを具備し、
前記控えるための手段は、前記媒体予約情報の前記周波数を使用して送信することを控えるようにさらに構成される、
Ｃ５０に記載の装置。
［Ｃ５６］  前記媒体予約情報に従ってネットワーク割当ベクトル（ＮＡＶ）カウンターの値をセットするための手段をさらに具備し、
なお、前記ＮＡＶカウンターの値は、時間ユニットの数を具備し、その間、前記装置は前記媒体にアクセスすることを控える、
Ｃ５０に記載の装置。
［Ｃ５７］  第１の装置によって送信される、媒体を使用する要求を検出し；
前記要求に応答して第２の装置によって送信される第２のフレームの受信を確認する、前記第１の装置によって送信される第１のフレームを検出し、なお、前記第１および第２のフレームは、前記媒体を予約するための同じ媒体予約情報を具備する；
前記媒体予約情報に基づいて、前記媒体にアクセスすることを控える；
ために実行可能な命令を備えたコンピュータ可読媒体を具備する、無線通信のためのコンピュータプログラム製品。
［Ｃ５８］  少なくとも１つのアンテナと；
第１の無線ノードによって送信される、前記少なくとも１つのアンテナを介して受信される媒体を使用する要求を検出するように構成された検出器と、なお、前記検出器は、また、前記要求に応答して第２の無線ノードによって送信される第２のフレームの受信を確認する、前記第１の無線ノードによって送信される、前記少なくとも１つのアンテナを介して受信される第１のフレームを検出するように構成され、前記第１および第２のフレームは、前記媒体を予約するための同じ媒体予約情報を具備する；
前記媒体予約情報に基づいて、前記媒体にアクセスすることを控えるように構成された送信機と；
を具備する無線ノード。
【図１】
0005453548.tif 000002
【図２】
0005453548.tif 000003
【図３】
0005453548.tif 000004
【図４】
0005453548.tif 000005
【図５】
0005453548.tif 000006
【図５Ａ】
0005453548.tif 000007
【図６】
0005453548.tif 000008
【図６Ａ】
0005453548.tif 000009
【図７】
0005453548.tif 000010
【図８】
0005453548.tif 000011